(57)【特許請求の範囲】
【請求項１】
スロットル開度に基づいて噴射量の補正を実行する燃料噴射制御装置において、
スロットル開度に対応する基本噴射量を導出するための基本噴射用マップ（１５）と、
スロットル開度に対応する追加噴射量を導出するための追加噴射用マップ（１８）と
を具備し、
所定のステージ数に分割設定されているエンジンの１サイクル中に、前記基本噴射量を算出するための第１の算出ステージ（Ｃ）と、該第１の算出ステージ（Ｃ）の後に設けられる第２の算出ステージ（Ｄ）が設定され、
前記第２の算出ステージ（Ｄ）は、前記第１の算出ステージ（Ｃ）の経過後、直近の吸気行程で吸気バルブが閉じるまでの期間中に設けられており、
前記第１の算出ステージ（Ｃ）で計測されたスロットル開度を前記追加噴射用マップ（１８）に適用して得られる第１の噴射量（α）と、前記第２の算出ステージ（Ｄ）で計測されたスロットル開度を前記追加噴射用マップ（１８）に適用して得られる第２の噴射量（β）とを対比し、
前記第１の噴射量（α）と前記第２の噴射量（β）との対比の結果にかかわらず、前記第２の算出ステージ（Ｄ）より以前でかつ前記第１の算出ステージ（Ｃ）の直後のステージで前記基本噴射量による噴射を開始し、
前記第１の噴射量（α）より第２の噴射量（β）の方が大きい場合は、前記第２の噴射量（β）から第１の噴射量（α）を減算した値を用いて、前記基本噴射量とは別個独立した追加噴射を行い、
前記第２の噴射量（β）より第１の噴射量（α）の方が大きい場合は、前記第１の算出ステージ（Ｃ）で算出された基本噴射量を修正するように構成されており、
前記第２の噴射量（β）より前記第１の噴射量（α）の方が大きく、かつ前記第２の算出ステージ（Ｄ）において前記基本噴射量による噴射が継続中であるときは、前記基本噴射量から追加噴射量を減じた修正後の噴射量と噴射済噴射量（Ｓ）とを対比して、該噴射済噴射量（Ｓ）の方が大きければ噴射を停止し、
前記所定のステージ数が、歯欠部（２ａ）を含むクランクパルス信号に基づいて分割設定されており、
前記歯欠部（２ａ）が、吸排気バルブのオーバーラップトップ位置から最も遠くに位置するように設定されており、
前記第２の算出ステージ（Ｄ）が、前記歯欠部に重ならない位置に設定されており、
前記第１の算出ステージ（Ｃ）は、所定のステージに固定設定されており、
前記第２の算出ステージ（Ｄ）は、エンジン回転数に応じて設定ステージが変動し、
前記第１算出のステージ（Ｃ）は、圧縮上死点（ＴＤＣ）の後で排気バルブが開き始めるまでの期間中に設けられ、
前記追加噴射量による噴射は、第２の算出ステージ（Ｄ）の直後のステージから開始され、
前記第２の算出ステージ（Ｄ）は、少なくとも前記排気バルブが開き始めてから、吸気バルブが開いている間に前記追加噴射量による噴射を完了することができる期間に設けられると共に、エンジン回転数が高いほどステージ数の小さいステージに設定されていることを特徴とする燃料噴射制御装置。
【請求項２】
前記第２の噴射量（β）より前記第１の噴射量（α）の方が大きく、かつ前記第２の算出ステージ（Ｄ）において前記基本噴射量による噴射が継続中であるときは、前記基本噴射量から追加噴射量を減じた修正後の噴射量と噴射済噴射量（Ｓ）とを対比して、該噴射済噴射量（Ｓ）の方が小さければ、前記修正後の噴射量の残量を噴射することを特徴とする請求項１に記載の燃料噴射制御装置。
【請求項３】
前記追加噴射用マップ（１８）は、前記第２の算出ステージ（Ｄ）の設定ステージに対応して複数設けられていることを特徴とする請求項１または２に記載の燃料噴射制御装置。
【発明の詳細な説明】
【技術分野】
【０００１】
本発明は、燃料噴射制御装置に係り、特に、スロットル開度の変化に継続的に対応して燃料噴射量の補正を実行することができる燃料噴射制御装置に関する。
【背景技術】
【０００２】
従来から、スロットル開度の変化を検知して、この変化量に基づいて燃料噴射量の補正を実行するようにした燃料噴射制御装置が知られている。
【０００３】
特許文献１には、所定時間内におけるスロットル開度の増加割合が予定値を超えた場合に、通常の基本燃料噴射とは独立した追加噴射によって増量補正を実行するようにした燃料噴射制御装置が開示されている。
【特許文献１】特公昭６２−９７４０号公報
【発明の開示】
【発明が解決しようとする課題】
【０００４】
しかしながら、特許文献１では、追加噴射が行われるのは加速初期の最初の１回のみであり、スロットル開度の変化がさらに継続されても、この変化に応じた噴射量補正を行うようには設定されていなかった。スロットル操作に対するエンジン出力の応答性を高めるためには、スロットル開度の変化にさらに細かく対応した噴射量補正が継続的に実行されることが望ましい。
【０００５】
本発明の目的は、上記従来技術の課題を解決し、スロットル開度の変化に継続的に対応して燃料噴射量の補正を実行することができる燃料噴射制御装置を提供することにある。
【課題を解決するための手段】
【０００６】
前記目的を達成するために、本発明は、スロットル開度に基づいて噴射量の補正を実行する燃料噴射制御装置において、スロットル開度に対応する基本噴射量を導出するための基本噴射用マップと、スロットル開度に対応する追加噴射量を導出するための追加噴射用マップとを具備し、所定のステージ数に分割設定されているエンジンの１サイクル中に、前記基本噴射量を算出するための第１の算出ステージと、該第１の算出ステージの後に設けられる第２の算出ステージが設定され、前記第１の算出ステージで計測されたスロットル開度を前記追加噴射用マップに適用して得られる第１の噴射量と、前記第２の算出ステージで計測されたスロットル開度を前記追加噴射用マップに適用して得られる第２の噴射量とを対比し、前記第１の噴射量より第２の噴射量の方が大きい場合は、前記第２の噴射量から第１の噴射量を減算した値を用いて、前記基本噴射量とは別個独立した追加噴射を行い、前記第２の噴射量より第１の噴射量の方が大きい場合は、前記第１の算出ステージで算出された基本噴射量を修正するように構成されている点に第１の特徴がある。
【０００７】
また、前記第２の算出ステージは、前記第１の算出ステージの経過後、直近の吸気行程で吸気バルブが閉じるまでの期間中に設けられている点に第２の特徴がある。
【０００８】
また、前記所定のステージ数が、歯欠部を含むクランクパルス信号に基づいて分割設定されており、前記歯欠部が、吸排気バルブのオーバーラップトップ位置から最も遠くに位置するように設定されており、前記第２の算出ステージが、前記歯欠部に重ならない位置に設定されている点に第３の特徴がある。
【０００９】
また、前記第１の算出ステージは、所定のステージに設定されており、前記第２の算出ステージは、エンジン回転数に応じて設定ステージが変動する点に第４の特徴がある。
【００１０】
さらに、前記追加噴射用マップは、前記第２の算出ステージの設定ステージに対応して複数設けられている点に第５の特徴がある。
【発明の効果】
【００１１】
第１の特徴によれば、スロットル開度に対応する基本噴射量を導出するための基本噴射用マップと、スロットル開度に対応する追加噴射量を導出するための追加噴射用マップとを具備し、所定のステージ数に分割設定されているエンジンの１サイクル中に、基本噴射量を算出するための第１の算出ステージと、該第１の算出ステージの後に設けられる第２の算出ステージが設定され、第１の算出ステージで計測されたスロットル開度を追加噴射用マップに適用して得られる第１の噴射量と、第２の算出ステージで計測されたスロットル開度を追加噴射用マップに適用して得られる第２の噴射量とを対比し、第１の噴射量より第２の噴射量の方が大きい場合は、第２の噴射量から第１の噴射量を減算した値を用いて基本噴射量とは別個独立した追加噴射を行い、第２の噴射量より第１の噴射量の方が大きい場合は、第１の算出ステージで算出された基本噴射量を修正するように構成されているので、スロットル開度の変化に応じた噴射量補正を、１サイクル毎に実行することが可能となる。これにより、スロットル開度の変化が急激だったり、複数サイクルに渡って継続される場合でも、１サイクル毎に噴射量補正を実行して補正量の最適化を図ることができる。また、スロットル開度の開方向への変化に対応して追加噴射を行う増量補正だけでなく、閉方向への変化に対応した減量補正も可能なので、スロットル操作に対するエンジン出力の応答性をより高めることが可能となる。
【００１２】
第２の特徴によれば、第２の算出ステージは、第１の算出ステージの経過後、直近の吸気行程で吸気バルブが閉じるまでの期間中に設けられているので、第１の算出ステージの後、直近の吸気行程が終了するまでの間に補正量を算出して、補正した噴射量による噴射を直近の吸気行程で実行することが可能となる。
【００１３】
第３の特徴によれば、所定のステージ数が歯欠部を含むクランクパルス信号に基づいて分割設定されており、歯欠部が吸排気バルブのオーバーラップトップ位置から最も遠くに位置するように設定されており、第２の算出ステージが歯欠部に重ならない位置に設定されているので、第２の算出ステージを吸気行程の前に配置した場合に、これを、歯欠部内ではなく、実際のクランクパルスが検出されてステージ区分が明確となる範囲内に設定することができる。
【００１４】
第４の特徴によれば、第１の算出ステージは所定のステージに設定されており、第２の算出ステージは、エンジン回転数に応じて設定ステージが変動するので、エンジン回転数に応じて、第２の算出ステージを常に最適な位置に設定することが可能となる。
【００１５】
第５の特徴によれば、追加噴射用マップは、第２の算出ステージの設定ステージに対応して複数設けられているので、エンジン回転数に応じた追加噴射用マップを選択して、最適な補正量を導出することが可能となる。
【発明を実施するための最良の形態】
【００１６】
以下、図面を参照して本発明の好ましい実施の形態について詳細に説明する。図１は、本発明の一実施形態に係る燃料噴射制御装置１００の構成を示すブロック図である。エンジンのクランクシャフト１には、その１回転毎に、歯欠部２ａを含む９個のクランクパルスを出力する一対のクランクパルサロータ２およびパルス発生器３が設けられている。９個の突起部は３０度間隔で配置され、歯欠部２ａの角度は１２０度とされている。パルス発生器３からの出力信号は、ＥＣＵ４の位相検出部１０に入力される。
【００１７】
位相検出部１０は、クランクパルスに基づいてクランクシャフト１の位相を検出する。ステージカウント割当部５０２は、クランクシャフト１回転をクランクパルスの出力タイミングで９分割し、クランクシャフトの各位相に「０」〜「９」のステージカウント（３６０度ステージ）を割り当てると共に、エンジンの行程判別が完了すると、クランクシャフトの１サイクル（７２０度）の各位相に「０」〜「１７」の絶対ステージ（７２０度ステージ）を割り当てる。また、エンジン回転数算出部１２は、位相検知部１０の出力信号に基づいてエンジン回転数を検知する。燃料噴射弁等からなる燃料噴射装置６は、ＥＣＵ４内の燃料噴射制御部２０からの制御信号によって駆動される。この燃料噴射制御部２０は、基本噴射量算出部１６および追加噴射量算出部１９からの出力信号に基づいて、燃料噴射装置６への制御信号を決定する。
【００１８】
基本噴射量算出部１６は、スロットル開度センサ５で検知されるスロットル開度およびエンジン回転数算出部１２で検知されるエンジン回転数を、基本噴射用マップ１５に適用して基本噴射時の基本噴射量を算出するものである。これに対し、追加噴射量算出部１９は、例えば、急加速時にスロットルが急開される場合等、スロットル開度に所定の変化が生じた際の補正量を算出するものである。この補正量には、スロットルが開方向に変化した場合に、基本噴射とは別個独立して行われる追加噴射の噴射量のほか、スロットルが閉方向に変化した場合に基本噴射量を減ずる減算量も含まれる。
【００１９】
追加噴射量算出部１９は、スロットル開度変化検知部１４、算出ステージ別追加噴射用マップ決定部１７、追加噴射用マップ群１８からの情報に基づいて補正量を算出する。スロットル開度変化検知部１４は、スロットル開度センサ５からの情報に基づいて、所定時間内におけるスロットル開度の変化量を検知する。また、追加噴射量算出ステージ決定部１３は、エンジン回転数算出部１２およびステージ割当部１１からの情報に基づいて、追加噴射量を算出するための追加噴射量算出ステージの位置を決定する。この追加噴射量算出ステージの詳細は後述する。また、算出ステージ別追加噴射用マップ決定部１７は、追加噴射量算出ステージ決定部１３からの情報に基づいて、追加噴射用マップ群１８から１つの追加噴射用マップを選択する。
【００２０】
図２は、本発明の一実施形態に係る燃料噴射制御装置の動作の流れを示すタイムチャートである。また、図３，４は、本実施形態に係る燃料噴射量補正制御の流れを示すフローチャートである。図２のタイムチャートにおいて、最上段の「クランクアングル」は、所定角度からのクランクの回転角度を記載したものである。クランクアングルの所定角度には、所定の気筒の圧縮上死点（ＴＤＣ）およびバルブオーバーラップトップ（ＯＬＴ）の位置を示している。その下には、所定の気筒の吸排気バルブの開閉タイミングと、パルス発生器３によるクランクパルスを示している。さらに、その下段には、クランクパルスに対応する絶対ステージ（行程判別が確定した後の７２０度ステージ）と、歯欠部を４分割すると共に１サイクルをすべて等間隔ステージで示した相対ステージ「０」〜「２３」を示している。
【００２１】
また、「噴射量算出ステージ」の段には、第１の算出ステージとしての基本噴射量算出ステージと、第２の算出ステージとしての追加噴射量算出ステージの実行タイミングをそれぞれ示している。この両算出ステージのタイミングは、相対ステージの所定の位置に対応している。また、「燃料噴射弁のオン／オフ」は、通電オンの間は一定圧力で噴射を継続し、通電をオフすることで噴射を停止するように設定された燃料噴射装置６の動作タイミングを示している。そして、最下段の「スロットル開度」は、乗員の操作するスロットルに取り付けられた前記スロットルセンサ５の出力信号を示す。この出力信号は、スロットル開度の増加に伴って出力が増すように設定されている。
【００２２】
ここで、燃料噴射装置における燃料の噴射は、同一サイクル中に燃料が燃焼室に吸入されるように、吸気バルブが閉じる前に実行する必要がある。本実施形態では、基本噴射用マップ１５を用いて基本噴射量を算出する基本噴射量算出ステージ（Ｃ：図２の各英字記号に対応。以下同様）を、相対ステージの第８〜９ステージ（以下、特記ない限り相対ステージ）で実行するように設定されており、続く第１０ステージから基本噴射量による噴射（Ｆ）が開始されるように設定されている。なお、噴射量は、燃料噴射弁の通電オンを継続する時間によって設定することができる。
【００２３】
一方、急加速等によって燃料の要求量が急激に高まる場合に、これに対応して噴射量を増量補正したいケースがある。このような場合に、基本噴射量とは別個独立した追加噴射を行うことが知られているが、本発明に係る燃料噴射制御装置では、この追加噴射量を、スロットル開度の変化量に応じて調整できる点に特徴がある。また、追加噴射による増量補正は加速初期の１回だけではなく、スロットル開度の変動が継続される間は継続して実行することが可能である。さらに、スロットル開度が閉方向に変化した場合には、追加噴射を行わないと共に、すでに算出された基本噴射量を修正することもできる。上記したような噴射量の補正は、基本噴射量を設定する基本噴射量算出ステージ（Ｃ）の後に、追加噴射量を計算するための追加噴射量算出ステージ（Ｄ）が設けられることによって実現される。以下、図２と、図３，４のフローチャートとを参照して、本発明に係る噴射量補正制御の動作を説明する。なお、以下の説明では、基本噴射量算出ステージ（Ｃ）を「ＦＩＣＡＬ」、追加噴射量算出ステージ（Ｄ）を「ＴＩＡＳＴＧ」とそれぞれ表記することがある。
【００２４】
図３，４は、本発明に係る噴射量補正制御の流れを示すフローチャートである。ステップＳ１では、エンジン回転数算出部１２によってエンジン回転数の検知が行われ、ステップＳ２では、スロットル開度センサ５によってスロットル開度が検知される。ステップＳ３では、追加噴射量算出ステージ決定部１３（図１参照）によって、エンジン回転数に応じた追加噴射量算出ステージ（Ｄ）のステージ数が決定される。追加噴射量算出ステージ（Ｄ）は、エンジン回転数に応じて設定可能範囲（Ｅ）の第１２〜２０ステージの間から選択され、例えば、エンジン回転数が高いほど小さな相対ステージ数を選択するように設定することができる。本実施形態では、１サイクル目の追加噴射量算出ステージ（Ｄ）が、相対ステージの「１６」に設定されている。
【００２５】
なお、本実施形態では、クランクの位相に対するクランクパルサロータ２の歯欠部の位置を、所定の気筒のバルブオーバーラップトップ（ＯＬＴ）と重ならないように最も遠い位置に設定している。また、前記した追加噴射量算出ステージ設定可能範囲（Ｅ）も、この歯欠部と重ならない位置に設定されている。本実施形態では、ＦＩＣＡＬ（Ｃ）がクランクパルスの歯欠部の開始点から始まるように設定されるのに対し、ＴＩＡＳＴＧ（Ｄ）が歯欠け部を避けた位置に設定されている。
【００２６】
ステップＳ４では、ステップＳ３で決定されたステージ数に応じて、これに対応する追加噴射用マップを、追加噴射用マップ群１８から選択する。本実施形態に係る追加噴射用マップ群１８は、例えば、相対ステージ１２〜２０のそれぞれに対応する９種の追加噴射用マップから構成することができる。この追加噴射用マップは、図５に示すように、スロットル開度に対応する噴射量を規定するデータテーブルである。
【００２７】
ステップＳ５では、クランクの位相が、基本噴射量算出ステージ（Ｃ）に到達したか否かが判定され、肯定判定されるとステップＳ６に進む。本実施形態では、クランクの位相が第８〜９ステージに到達することでステップＳ６に進むことになる。この基本噴射量算出ステージ（Ｃ）は、エンジン回転数、スロットル開度、車速等の情報に基づいて基本噴射用マップ１５から基本噴射量を算出するステージであるが、本実施形態に係る燃料噴射制御装置では、この基本噴射量算出ステージ（Ｃ）において補正用の噴射量も算出するように構成されている。これがステップＳ６の処理であり、ステップＳ６では、基本噴射量算出ステージ（Ｃ）で計測されたスロットル開度ｔ１を、ステップＳ４で選択された追加噴射用マップ（図５参照）に適用して、第１の噴射量としての噴射量αを算出する（Ａ）。
【００２８】
続くステップＳ７では、クランクの位相が、追加噴射量算出ステージ（Ｄ）に到達したか否かが判定され、肯定判定されるとステップＳ８に進む。本実施形態では、クランクの位相が第１６ステージに到達することでステップＳ８に進むことになる。この追加噴射量算出ステージ（Ｄ）は、基本噴射量算出ステージ（Ｃ）ですでに基本噴射量が計算された後にスロットル開度に変化が生じた場合でも、直近の吸気行程での噴射量を補正可能とするために設けられるものである。前記したように、追加噴射量算出ステージ（Ｄ）は、相対ステージの１２〜２０の範囲内に設定されるが、この第１２〜２０ステージは、基本噴射量算出ステージ（Ｃ）の経過後、吸気バルブが開いている間に燃料噴射を実行できる限界ステージ数までの期間に相当する。なお、ステップＳ５，７で否定判定されると、ステップＳ１に戻る。
【００２９】
ステップＳ８では、追加噴射量算出ステージ（Ｄ）で計測されたスロットル開度ｔ２を、ステップＳ４で選択された追加噴射用マップに適用して、第２の噴射量としての噴射量βを導出する（Ｂ）。図２のタイムチャートを参照すると、本実施形態では、ＦＩＣＡＬの終了と同時に開始された基本噴射量による噴射（Ｆ）が終了する直前、換言すれば、相対ステージの第１２ステージ付近からスロットルが開き始め（Ｇ）、その後、開方向に継続して変化している。ステップＳ８で導出される噴射量βは、このスロットル開度の増加を反映した値となる。
【００３０】
ステップＳ９では、前記噴射量βから噴射量αを除算することで、追加噴射量Ｔが算出される（Ｔ＝β−α）。続くステップＳ１０では、Ｔ＞０か否かが判定される。図２の例では、加速のためにスロットルが開方向に駆動され、β＞αとなるので、追加噴射量Ｔが正の値となる。したがって、ステップＳ１０において肯定判定されてステップＳ１１に進む。そして、ステップＳ１１では、追加噴射量算出ステージ（Ｄ）の終了と共に、追加噴射量Ｔを適用して追加噴射が実行されて（Ｇ）、一連の制御を終了する。この追加噴射（Ｇ）によれば、スロットル開度の増大度合いに応じた適切な燃料が供給されて、加速時のエンジン出力の応答性を高めることが可能となる。なお、追加噴射は、算出された追加噴射量Ｔが所定値以上の場合や、または、前記スロットル開度変化検知部１４（図１参照）による検出値が所定値以上の場合にのみ実行するようにしてもよい。
【００３１】
一方、ステップＳ１０で否定判定されるとステップＳ１２に進み、追加噴射量Ｔがゼロか否かが判定される。ステップＳ１２で肯定判定される、すなわち、追加噴射量がゼロとなる場合は、ＦＩＣＡＬからＴＩＡＳＴＧまでの間にスロットル開度に変化がなかった場合であり、追加噴射の必要がないとしてステップＳ１３へ進み、追加噴射を実行することなく一連の制御を終了する。なお、前記スロットル開度変化検知部１４（図１参照）によって、スロットル開度の変化量がゼロであったり変化量が所定値より小さいことが検知された場合には、噴射量補正制御を直ちに終了するようにしてもよい。
【００３２】
また、ステップＳ１２で否定判定された場合は、追加噴射量Ｔが負の値になる場合であり、これは、ＦＩＣＡＬからＴＩＡＳＴＧまでの間にスロットル開度が閉方向に変化したことを示す。このように、スロットルが閉方向に変化した場合には、すでにＦＩＣＡＬで算出済みの基本噴射量が、エンジンの要求量に対して過多となる可能性がある。そこで、本実施形態に係る噴射量補正制御では、ステップＳ１４以降の処理によって、スロットル開度が閉方向に変化した際にも適切な噴射量補正を可能としている。
【００３３】
ステップＳ１４では、基本噴射量で噴射中か否かが判定される。これは、スロットル開度やエンジン回転数の状態によっては、ＴＩＡＳＴＧの終了時点で、まだ基本噴射量による噴射が継続されている可能性があるためである。ステップＳ１４で肯定判定されると、ステップＳ１５に進み、基本噴射量のうち、すでに噴射した噴射済噴射量Ｓの算出が行われる。そして、ステップＳ１６では、基本噴射量に追加噴射量Ｔを加算した値が、噴射済噴射量Ｓより小さいか否かが判定される。ここで、追加噴射量Ｔは負の値なので、ステップＳ１６の判定を換言すれば、「基本噴射量から追加噴射量Ｔの絶対値を減算した補正量が、噴射済噴射量Ｓより小さいか否か」となり、肯定判定されると、すでに必要な量が噴射済であるとされ、ステップＳ１７に進んで噴射を停止する。他方、ステップＳ１６で否定判定されるとステップＳ１８に進み、基本噴射量から追加噴射量Ｔの絶対値を減算した補正量（基本噴射量＋Ｔ）によって残量を噴射して、一連の制御を終了することとなる。
【００３４】
上記したような噴射量補正は、１サイクル毎に実行可能である。図２に示すように、スロットル開度の変化が次のサイクルに渡って継続される際にも、次のＦＩＣＡＬにおいて噴射量α２を導出する（Ｊ）と共に、その後に設定されるＴＩＡＳＴＧでβ２を導出し（Ｋ）、β２からα２を減算することによって、次の吸気行程で適用する新たな追加噴射量を算出することができる。
【００３５】
上記したように、本発明に係る燃料噴射制御装置によれば、基本噴射量を算出するためのＦＩＣＡＬ（第１の算出ステージ）の後で、かつ直近の吸気行程の前に追加噴射量を算出するためのＴＩＡＳＴＧ（第２の算出ステージ）を設け、それぞれのステージで計測されたスロットル開度に基づいた補正量を算出して、直近の吸気行程の燃料噴射量を補正するようにしたので、スロットル開度の変化に応じた噴射量補正を、１サイクル毎に実行することが可能となる。これにより、スロットル開度の変化が複数サイクルに渡って継続される場合でも、１サイクル毎に噴射量補正を実行して補正量の最適化が図られ、スロットル操作に対するエンジン出力の応答性をより高めることが可能となる。
【００３６】
なお、クランクパルサロータの形状やクランクパルス数、絶対ステージ数および相対ステージに割り当てられるステージ番号、ＦＩＣＡＬおよびＴＩＡＳＴＧの設定位置や長さ、追加噴射用マップの形態、図３，４に示す燃料噴射制御のフローチャートの項目等は、上記した実施形態に限られず、種々の変更が可能である。
【図面の簡単な説明】
【００３７】
【図１】本発明の一実施形態に係る燃料噴射制御装置の構成を示すブロック図である。
【図２】燃料噴射制御装置の動作の流れを示すタイムチャートである。
【図３】燃料噴射量補正制御の流れを示すフローチャート（１／２）である。
【図４】燃料噴射量補正制御の流れを示すフローチャート（２／２）である。
【図５】追加噴射用マップの一例である。
【符号の説明】
【００３８】
１…クランク、２…クランクパルサロータ、３…パルス発生器、４…ＥＣＵ、５…スロットル開度センサ、６…燃料噴射装置、１０…位相検出部、１１…ステージ割当部、１２…エンジン回転数算出部、１３…追加噴射量算出ステージ決定部、１４…スロットル開度変化検知部、１５…基本噴射用マップ、１６…基本噴射量算出部、１７…算出ステージ別追加噴射用マップ決定部、１８…追加噴射用マップ群、１９…追加噴射量算出部、２０…燃料噴射制御部、１００…燃料噴射制御装置、Ｃ…基本噴射量算出ステージ（第１の算出ステージ）、Ｄ…追加噴射量算出ステージ（第２の算出ステージ）、Ｔ…追加噴射量、α…第１の噴射量、β…第２の噴射量
【図１】
0004636564.tif 000002
【図２】
0004636564.tif 000003
【図３】
0004636564.tif 000004
【図４】
0004636564.tif 000005
【図５】
0004636564.tif 000006